(57)【特許請求の範囲】
【請求項１】
使い捨ての衛生用品（２）が、人体から出た液体を長時間保留するのに用いる吸収体層（２４、６０、７０）を備え、この吸収体層は高吸収性材料を含んで構成され、そしてこの衛生用品は折り返し部（２６、２８）を備え、この折り返し部は、左右の漏れ止めバリヤーを形成し、ほぼ縦方向に伸び、少なくともその一部を立ち上げて用いるものであって、かつ少なくとも折り返し部土台線（３４、３６；６２、６４；７６、７８）にそって当該衛生用品の対応する側に固定されていて、この折り返し部（２６、２８）は、前記折り返し部土台線（３４、３６；６２、６４；７６、７８）相互の間隔を変化させながら延在する、前記衛生用品が、
前記吸収体層（２４、６０、７０）は、衛生用品の横方向（４４）では左右の周縁（１６）に行くにつれて、そして／又は縦方向（３８）では少なくとも一方の縦方向末端（４０）に行くにつれて、この層の吸収性材料の面積あたり重量が増加することと、面積あたり重量を増加された領域（４６、５６、７４）は、その部分領域（４８、５０、６６、６８）として、そこでは前記折り返し部土台線（３４、３６；６２、６４；７６、７８）相互の間隔（４２）が、この部分領域（４８、５０、６６、６８）の範囲外におけるより大きい当該部分領域を、少なくとも１つ備えることと、折り返し部土台線（３４、３６；６２、６４；７６、７８）から、立ち上げ式の折り返し部（２６、２８）の遠位側末端（３０、３２）までの間隔が、前記部分領域（４８、５０、６６、６８）の範囲内では、この部分領域（４８、５０、６６、６８）の範囲外におけるよりも大きいことと、
を特徴とする、上記の衛生用品。
【請求項２】
前記部分領域（４８、５０、６６、６８）が、衛生用品の縦方向で見た場合の中央部分以外の、前当て領域（６）及び／又は背面領域（８）に配置されていることを特徴とする、請求項１に記載の衛生用品。
【請求項３】
前記折り返し部土台線（３４、３６；６２、６４；７６、７８）相互の間隔（４２）が、縦方向（３８）において少なくとも１つの最大値を通過するように、折り返し部（２６、２８）が形成されていることを特徴とする、請求項１又は２に記載の衛生用品。
【請求項４】
全ての前記最大値は、面積あたり重量を増加された領域（４６、５６、７４）の前記部分領域（４８、５０、６６、６８）の範囲内に位置することを特徴とする、請求項３に記載の衛生用品。
【請求項５】
前記折り返し部土台線（３４、３６；６２、６４；７６、７８）相互の間隔の最大値が、衛生用品の前当て領域（６）及び／又は背面領域（８）に配置されていることを特徴とする、請求項３又は４に記載の衛生用品。
【請求項６】
前記吸収体層（２４、６０、７０）が、繊維と粒子状の高吸収性材料との混合物を含むことを特徴とする、請求項１から５のいずれか一つに記載の衛生用品。
【請求項７】
左右に配置された前記折り返し部（２６、２８）の折り返し部土台線（３４、３６；６２、６４；７６、７８）が、前当て領域（６）及び／又は背面領域（８）で、互いに間隔を取ったまま縦方向末端（４０）に達することを特徴とする、請求項１から６のいずれか一つに記載の衛生用品。
【請求項８】
前記折り返し部土台線（３４、３６；６２、６４；７６、７８）相互の間隔（４２）が、衛生用品の縦方向で見た中央部分と、上記の部分領域（４８、５０、６６、６８）の範囲外とにおいては１３０〜１７０ｍｍ、特には１４０〜１６５ｍｍであることを特徴とする、請求項１から７のいずれかに記載の衛生用品。
【請求項９】
前記折り返し部土台線（３４、３６；６２、６４；７６、７８）相互の間隔（４２）は、前記部分領域（４８、５０、６６、６８）において１６０〜２２０ｍｍ、特には１８０〜２００ｍｍ、特には１８５〜１９５ｍｍであることを特徴とする、請求項１から８のいずれか一つに記載の衛生用品。
【請求項１０】
前記折り返し部土台線（３４、３６；６２、６４；７６、７８）相互の間隔（４２）は、衛生用品の縦方向末端を含む製品末端領域で１００〜１８０ｍｍ、特には１００〜１６０ｍｍ、特には１００〜１５０ｍｍ、特には１００〜１４０ｍｍ、特には１００〜１３０ｍｍ、特には１０５〜１２０ｍｍであることを特徴とする、請求項１から９のいずれか一つに記載の衛生用品。
【請求項１１】
前記吸収体層（２４、６０、７０）の、又はその吸収性材料の面積あたり重量は、横方向（４４）又は縦方向（３８）に３０〜２００％、特には３０〜１５０％、特には５０〜１２０％増加することを特徴とする、請求項１から１０のいずれか一つに記載の衛生用品。
【請求項１２】
前記吸収体層（２４、６０、７０）の吸収性材料の面積あたり重量は、前記部分領域（４８、５０、６６、６８）で２００〜５００ｇ／ｍ2、特には２５０〜４５０ｇ／ｍ2、特には２８０〜３５０ｇ／ｍ2であることを特徴とする、請求項１から１１のいずれかに記載の衛生用品。
【請求項１３】
吸収体層（２４、６０、７０）の吸収性材料の面積あたり重量は、前記部分領域（４８、５０、６６、６８）の範囲内で２５０〜１０００ｇ／ｍ2、特には３５０〜７５０ｇ／ｍ2、特には５００〜７００ｇ／ｍ2であることを特徴とする、請求項１から１２のいずれか一つに記載の衛生用品。
【請求項１４】
前記折り返し部土台線（３４、３６；６２、６４；７６、７８）から、立ち上げ式の前記折り返し部（２６、２８）の遠位側末端までの間隔が、前記部分領域（４８、５０、６６、６８）の範囲内では、４０〜６０ｍｍであることを特徴とする、請求項１から１３のいずれか一つに記載の衛生用品。
【請求項１５】
前記折り返し部土台線（３４、３６；６２、６４；７６、７８）から、立ち上げ式の前記折り返し部（２６、２８）の遠位側末端までの間隔が、前記部分領域（４８、５０、６６、６８）の範囲外においては、３０〜４０ｍｍであることを特徴とする、請求項１から１４のいずれか一つに記載の衛生用品。
【発明の詳細な説明】
【技術分野】
【０００１】
本発明は次のような使い捨て衛生用品に関する。すなわちこの衛生用品は、人体排出液を長時間保留するのに用いる吸収体層を持ち、この吸収体層は高吸収性の材料を含むものとすることができる。またこの衛生用品は折り返し部を持ち、これらの折り返し部は、左右に漏れ止めバリヤーを形成しながら、ほぼ縦方向に伸びて、かつ少なくとも折り返し部の一部領域を立ち上げて使用し、またこれら折り返し部は、少なくともその土台線にそってこの衛生用品の人体側に固定されている。そしてこれらの折り返し部は、互いに他の折り返し部土台線との間隔を変化させながら伸びている。したがって本発明は、特にオムツ又はパンツ型オムツ、そして失禁パッド又は失禁オムツ又はパンツ型失禁オムツに関する。
【背景技術】
【０００２】
この種の衛生用品は、たとえば欧州特許第０７５１７５６号に記載されている。この衛生用品の場合、折り返し部又は折り返し部の土台線は、砂時計形の吸収体に応じた形である。
【０００３】
欧州特許第０２５４４７６号は１つの吸収体構造を開示するが、この場合、液体吸収中心ゾーンを設けて、そこでは吸収体の密度と面積あたり重量を減少させ、またこのゾーンの少なくとも一部を、密度と面積当たり重量を大きくした保留ゾーンで囲んでいる。このようにして、特に急激な液体の作用を受けるときも、液体吸収・拡散の改善を得たいとするものである。同様のものが欧州特許第１００６９７０号でも開示、説明されている。
【発明の開示】
【発明が解決しようとする課題】
【０００４】
上記を出発点として、本発明の課題は、特に急激な液体の作用を受けるときに左右の漏れを防止するに適した衛生用品、かつ衝突する液体を吸収性構造によって迅速に吸収し、これを長時間吸収体層に保留することができる衛生用品を得ることである。
【課題を解決するための手段】
【０００５】
本発明はこの課題を、冒頭に挙げた種類の衛生用品において、次のようにして解決する。すなわち吸収体層は、衛生用品の横方向では左右周縁に行くにつれて、そして／又は縦方向では少なくとも一方の縦方向末端に行くにつれて、この層の吸収性材料の面積あたり重量が大きくなるものとする。そして面積当たり重量が大きい領域は、その少なくとも１つの部分領域において、折り返し部の土台線相互の間隔が、この部分領域の範囲外におけるよりも大きいものとする。
【０００６】
本発明によって、次のことが確認される。すなわち、確かにこれらの折り返し部は、その土台線相互の間隔を変化させながら伸び、その結果として折り返し部は、たとえば前当て領域又は背面領域で、したがって通常はこの衛生用品の股ぐり領域以外においても、常に相互に間隔を取るものとすることができる。そしてこのことにより、液体の吸収に使用できる表面積が大きくなる。急激な液体の流れが作用して、この液体が衛生用品の表面で、すなわち立ち上がっている折り返し部の間で分配されるとき、吸収面はできるだけ大きいものが選択されるならば、液体を迅速に吸収するのに有利であることがわかっている。しかしこのことは、折り返し部と、人体排泄物を捕捉するため折り返し部が形成するポケットとが、吸収体周縁近くに達することを意味する。吸収体周縁近くでは、充分な吸収容量が得られない場合があり、あるいは吸収体周縁との相互作用によって、必要に応じた密封性又は吸収容量として最適なものを選択できない場合がある。さらには、望ましくないことではあるが利用できる吸収容量が欠如する場合、折り返し部と衛生用品材料との接合によって、液体が衛生用品周縁に毛管現象によって運ばれる危険が助長される。ここで本発明によって確認されるのは、次のことである。すなわち、折り返し部の土台線相互の間隔が他の場所におけるよりも大きいまさにその場所で、吸収体層の吸収性材料の面積当たり重量を大きくすることによって、使用時におけるその衛生用品の液体吸収特性を改善でき、不具合を生じにくくすることができる、ということである。面積あたり重量は、横方向の左右周縁に行くにつれて増加するものとする。その結果として、横方向である左右両側、中央領域の左右両外側に、中央領域よりも面積あたり重量が大きい領域が設けられる。この面積あたり重量の増加は、連続的なものとすることも、不連続的なものとすることもできる。
【０００７】
縦方向に衛生用品の少なくとも一方の縦方向末端に行くにつれて、面積あたり重量が増加するものとすることも考えられる。これにより、前当て領域及び／又は背面領域では、中央領域におけるよりも面積あたり重量が大きくなる。この場合本発明では、少なくとも１つの部分領域で、折り返し部の輪郭線相互の間隔が、その部分領域の範囲外におけるよりも大きくなる。
【０００８】
したがって本発明の場合、好ましくは折り返し部とその土台線の配置を、大きい液体吸収面を得るのに利用できるものとする。ただしこの場合、折り返し部の土台線相互の間隔が大きくなったまさにその領域に、少なくとも人体から出た液体を長時間保留するに用いる吸収体層を、しかも少なくともその土台線の領域に備えるものとする。
【０００９】
本発明における上記の認識は、衛生用品の中央の股ぐり領域に利用することができるが、次の場合も特に有利であることがわかっている。すなわち上記の部分領域が、縦方向で見た中央部分以外の前当て領域及び／又は背面領域に配置される場合である。なぜならば、これらの領域では股ぐり領域におけるよりも問題なく、衛生用品とその吸収体構造を、横方向に広がった構造とすることができるからである。衛生用品の機能性は、まさにユーザーが横になっているか眠っているときにこそ確保したいので、液体吸収に関しては、前当て領域と背面領域は、従来考えられていた以上の重要性があたえられる。前当て領域の吸収容量を高めた“男性用”オムツが、すでに提案されているのは確かである。しかしこの吸収容量は、中心すなわち中央に配置されている。しかし本発明とそれに基づく認識は、少なくとも人体から出た液体を長時間保留するに用いられる吸収体層の吸収性材料の面積あたり重量を、折り返し部の土台線の間隔が最大となる領域で増加することによって、その土台線で吸収容量の増加を得たいとする。
【００１０】
本発明の別の好ましい実施形態では、折り返し部を次のように配置することが提案される。すなわち、折り返し部の土台線相互の間隔が、縦方向において少なくとも１つの最大値、好ましくは衛生用品の前当て領域と背面領域で１つずつ最大値を通過するようにする。ここで最大値を通過するというとき、折り返し部の土台線の間隔が縦方向に増加し、最大値に達し、次にふたたび減少して、折り返し部の土台線がふたたび相互に近づくことをいう。
【００１１】
これら折り返し部自体は、左右の漏れ止めバリヤーを形成するものとして専門家には知られている材料、たとえばカードウェブ、スパンボンド不織布、又はメルトブロウン不織布といった不織布素材、特には、スパンボンド（Ｓ）及びメルトブロウン（Ｍ）不織布層を持つ不織布ラミネート、たとえばＳＭ‐、ＳＭＳ‐、ＳＭＭＳ‐の各不織布素材を含む。好ましくは疎水性材料を用いるものとする。そのほかフィルム又は発泡性材料からなる折り返し部も考慮できる。
【００１２】
その面積あたり重量が横方向及び／又は縦方向に増加する吸収体層を形成するについては、要件が存在する。これはそれ自体特別な要件でも、人体から出た液体を長時間保留する通常の吸収体層とは異なる要件でもない。これは純粋な繊維材料の層、特には親水性があるため液体を長時間保留するに適した、綿毛状に膨らませたパルプ繊維の層に関するものであり得る。そのほか考慮されるものに、合成繊維、特には熱加塑性合成繊維、場合によってはこれらをパルプ繊維と混合したものがある。吸収体層が高吸収性材料を、特には粒子状の高吸収性材料を含めば、特に有利であることがわかっている。好ましくは吸収体層が、繊維と粒子状の高吸収性材料との均一な混合物を含むものとする。吸収体層は、さらに発泡性材料を含み、あるいは発泡性材料からなるものとすることができる。
【００１３】
本発明の１つの実施形態では、左右の折り返し部土台線が、前当て領域及び／又は背面領域で互いに交わる。このような場合、人体排泄物を捕捉するための縦方向を密封されたポケットが、得られることとなろう。その場合好ましくはこれら折り返し部自体、その遠位末端もやはり互いに接触し、又は重なり合うような形状とする。そうすれば一種の窓状開口部が得られよう。
【００１４】
しかし上記と異なる方法として、次の場合が考えられ、これは特に製造プロセスの点で有利である。それは、左右に位置する折り返し部の土台線が、前当て領域及び／又は背面領域で互いに間隔を取ったまま、この衛生用品の縦方向末端に達する場合である。
【００１５】
請求項９〜１１は、本発明による立ち上げ式折り返し部を配置する際の、好ましい寸法に関する。
【００１６】
本発明の考えをさらに精細化したものとして、この衛生用品を次のような形状にすることを提案する。すなわち、上記の吸収体層又はその吸収性材料の面積あたり重量を、横方向又は縦方向に３０〜２００％、特には３０〜１５０％、好ましくは５０〜１２０％増加する。
【００１７】
本発明の１つの好ましい実施形態では、吸収体層の吸収性材料の面積あたり重量を、上記の部分領域の範囲外では２００〜５００ｇ／ｍ2、特には２５０〜４５０ｇ／ｍ2、好ましくは２８０〜３５０ｇ／ｍ2とする。上記の部分領域の範囲内では、２５０〜１０００ｇ／ｍ2、特には３５０〜７５０ｇ／ｍ2、好ましくは５００〜７００ｇ／ｍ2とする。吸収体層の吸収性材料は、繊維構成材料によって、特には綿毛状に膨らませたパルプ繊維で形成することができる。
【００１８】
着目された吸収体層より上部及び／又は下部に、特に液体吸収又は液体保留に用いるため、吸収体による構成部品を設けることができる。こうして好ましくは開孔性の液体吸収層を設けることができる。しかし好ましくはこの液体吸収層は、長時間保留のためではなく、単に液体吸収、その中間的保留、拡散のために用いられるものとする。そのほか有利であることがわかっているものとして、着目された吸収体層より下部に、別の層、好ましくはＳＡＰ（焼結アルミ粉末）を含まない層をもう１つ設けることができる。この層は支持材として用いられ、特に本来の吸収体層から高吸収性の顆粒状粒子材料がこぼれ出るのを、防止するためのものである。
【００１９】
本発明の特に好ましい実施形態では、縦方向に延びる連続シート又は連続シート切断物から、折り返し部を形成する。次に連続シート切断物の取り付け個所を、各折り返し部の土台線を相応に配置して固定するならば、折り返し部は次のような形状となる。すなわち折り返し部土台線相互の間隔が大きくなるほど、各折り返し部の土台線から、立ち上げ式折り返し部の遠位側末端までの間隔もそれだけ大きくなる。これは合目的である。なぜならばこれによって、吸収領域が大きく広がるとともに、そこで立ち上げ式折り返し部が、より大きな有効高さを取ることができるからである。本発明のこの考えによる別の実施形態で、折り返し部土台線から、立ち上げ式折り返し部の遠位側末端までの間隔が、面積あたり重量が増加している上記の部分領域の範囲内では、この部分領域の範囲外におけるよりも大きくすれば、有利であることがわかっている。
【００２０】
折り返し部土台線から、立ち上げ式折り返し部の電位側末端までの間隔を、上記の部分領域では４０〜６０ｍｍとすれば、合目的かつ有利であることがわかっている。この場合の間隔とは、折り返し部を平に畳んであるときの有効な長さをいう。
【００２１】
上記の部分領域の範囲外においては、好ましくはこの間隔を３０〜４０ｍｍとする。
【００２２】
本発明のそのほかの特徴、詳細、利点を、図面と、本発明の好ましい実施形態に関する下記の説明に記載した。
【発明を実施するための最良の形態】
【００２３】
図１は、衛生用品（全体について参照番号を２とする）の人体側の上面図であって、この場合の衛生用品は失禁オムツである。図２は、線II‐IIの切断面で切ったその断面図で
ある。衛生用品２はオムツ本体４を備え、このオムツ本体は、前当て領域６と背面領域８でその左右に直接、又は間接に取り付けられたフラップ１０及び１２をともなう。前当て領域６と背面領域８の間の領域を、股ぐり領域１４と呼ぶことにする。また領域１４におけるオムツ本体４の左右周縁１６が、そこからつながるフラップ１０、１２の側部１８、２０とともに、衛生用品をあてがわれたユーザーの開脚部の境界をなしている。
【００２４】
オムツ本体の人体と反対側が液体不透過層７を備えるのに対して、フラップ１０、１２は、通気性、特に空気透過性のある不織布材料から形成される。
【００２５】
衛生用品２はさらに吸収体２２を備え、この吸収体はここには示さない開孔性の液体吸収・拡散層を持ち、この層は吸収体の一部だけを覆う。さらにこの吸収体２２は、人体から出た液体を長時間保留するのに用いる吸収体層２４を備えるが、この吸収体層については次にさらに詳しく説明する。吸収体層２４は、綿毛状に膨らませたセルロースからなる薄い層（図１及び２には示さない）の上にあって、この層の面積あたり重量は約１４０ｇ／ｍ2で均一である。
【００２６】
番号２６、２８を付したのは、縦方向に延びる、そして少なくとも股ぐり領域で立ち上げて用いる折り返し部であって、折り返し部の自由な遠位側周縁３０、３２には、好ましくは弾性のある縁をつけるものとする。折返し部が外側に開くのを防止するため、この遠位側周縁３０、３２は、背面領域と前当て領域で、その内側を衛生用品の上面に、接着又は溶接のような通常の方法で取り付けられている。そのほかこの折り返し部２６、２８は、それぞれの土台線３４、３６にそって、衛生用品２の上面に取り付けられ、特には少なくとも衛生用品本体４をほぼ覆うトップシート層９（図２）と結合されている。
【００２７】
折り返し部の土台線３４、３６は、折り返し部と同様に、基本的には衛生用品の縦方向に伸びるが、縦方向３８と平行ではなく、土台線３４、３６相互の間隔を変化させながら配置される。
【００２８】
折り返し部土台線３４、３６は、衛生用品２の一方の縦方向末端４０から出発して、最初は縦方向３８に正確に平行に伸び、輪郭線相互の間隔４２の値をここではＡとする。次にこの折り返し部土台線３４、３６は、背面領域８の範囲内にあるうちに、連続して円弧を描いて外側に伸び、その結果相互の間隔４２は連続して増加して、ついには最大値Ａ1,maxを取る。次にこの間隔はＡ1,maxからふたたび連続的に減少して、衛生用品２の股ぐり領域１４では値A’となるが、この値は間隔Ａより数ミリメートル大きい。この折り返し部土台線３４、３６が、股ぐり領域から前当て領域６にさらに伸びると、土台線３４、３６の間隔がふたたび連続的に増加して、値はＡ2,maxとなる。これは値Ａ1,maxよりも若干小さいが、次にもう一方の縦方向末端４４に向かってふたたび連続的に減少し、当初の値Ａとなる。
【００２９】
したがって折り返し部２６、２８は次のような配置となる。すなわち、折り返し部の土台線３４、３６相互の間隔が、縦方向に２つの最大個所を通過して、かつこれら最大箇所は、好ましくは少なくともその一方が、衛生用品の前当て領域６又は背面領域８に配置されている。また図示の場合のように、折り返し部の遠位側周縁３０、３２が、背面領域と前当て領域で、その内側を衛生用品の上面に取り付けられているならば（折り返し部末端の固定個所８２）、ポケット型のバリヤー４５が生じる。このバリヤーは、折り返し部の一時的機能として左右の漏れを防止するだけでなく、ウェスト周縁に対する漏れ止めバリヤーも形成する。有利な方法としては、特に図示のように、前当て領域及び／又は背面領域における折り返し部土台線が、主として折り返し部末端の固定領域を通るものとする。
【００３０】
人体から出た液体を長時間保留するのに用いる吸収体層２４自体は、構造化されたものとして形成される。すなわちこの吸収体層の面積あたり重量は、その広がりにわたって均一ではなく、横方向４４の左右周縁１６に行くにつれて増加する。したがって面積あたり重量はこの左右周縁で、吸収性ある吸収体材料の重量が大きくなっている領域４６を持つ。この吸収体材料は、パルプ繊維と高吸収性の粒子状材料との均質な混合物で形成されている。このことは図２の断面図からも理解されよう。面積あたり重量を増加されたこの領域４６は、吸収体の周縁領域にそって広がり（線影をつけた領域）、部分領域４８（十字線影をつけた領域）を少なくとも１つ備える。この部分領域においては、折り返し部土台線３４，３６相互の間隔が、この部分領域４８の範囲外におけるよりも大きい。折り返し部土台線３４、３６の最大間隔４２、又は折り返し部土台線３４、３６相互の間隔４２の最大値を、縦長の衛生用品を横に切った１つの部分、すなわち吸収体層２４の面積あたり重量を増加した部分、したがって領域４６も設けられている部分に配置する。周縁領域における吸収体層２４を補強することにより、そこでは保留容量の増加が得られる。このことは、領域４６の部分領域４８、５０において、すなわち折り返し部土台線３４、３６相互の間隔４２が大きくなっているこれら部分領域において、特に有利に影響する。それは吸収特性の改善を生み、液体吸収を早める。前当て領域６及び背面領域８では、折り返し部土台線３４、３６相互の間隔が増加することによって、急激な作用に耐える液体吸収面が得られる。このような吸収面は、特に排便失禁の際、製品の後部領域において有利に作用する。人体排泄物のための大きな吸収スペースが得られていて、この場合まさに液体バリヤーの領域において、立ち上げ式の折り返し部３０、３２により、保留容量の向上と、左右の漏れ防止の向上が得られる。
【００３１】
図３は、本発明衛生用品の別の実施形態における吸収体５２の上面図である。図１の衛生用品の吸収体２４と同様に、この吸収体５２は、横方向４４にある左右の縦方向周縁５４に行くにつれて面積あたり重量が増加するものとして形成され、これを線影領域５６で示す。面積あたり重量が均一な薄い綿毛状の層５８が設けられ、この層は吸収体層６０とここには示さないバックシートとの間に配置されている。折り返し部は、その土台線６２、６４と、その縁側末端６５とで図示されている。この折り返し部は、ふたたび折り返し部土台線６２、６４の間隔Ａを変化させながら、縦方向に延びる。ここでも、少なくとも面積あたり重量を増加した領域５６の部分領域６６、６８では、この部分領域６６、６８の範囲外におけるよりも、折り返し部土台間隔４２が大きい。
【００３２】
図１とは異なって、面積あたり重量を増加した領域５６は、吸収体５２の前当て領域でリング状に閉じていて、このことを図３に記載する。この実施形態は、男性に好んで用いられる失禁用衛生用品で用いられる場合、特に利点がある。
【００３３】
面積あたり重量が増加するとともに、吸収体層と吸収体の厚さも増加するならば、上記２つの実施形態とも有利であることを、指摘しておく。これは、吸収体周縁領域におけるお漏れ防止を大きく助けることになる。
【００３４】
図４及び５は、本発明による別の吸収体層７０の上面図と断面図である。図１及び２の実施形態とは異なって、吸収体層７０の面積あたり重量は、縦方向３８に、図５には示さない全体的な衛生用品の縦方向末端７２に行くにつれて増加する。吸収体層７０の厚さ増加は、製造される衛生用品の股ぐり領域と、前当て領域又は背面領域との間で、鉄道の荷役プラットフォーム状のスロープを経由して行われる。面積あたり重量を増加したこのような領域７４を図に示す。そのほか、折り返し部土台線７６、７８の推移と、折り返し部の遠位側末端８０を、略図として示した。図示の通り、折り返し土台線７６、７８は、相互の間隔が最大となる個所、すなわち面積あたり重量が増加した領域７４にある当該個所を通過している。
【図面の簡単な説明】
【００３５】
【図１】本発明による衛生用品の１つの好ましい実施形態の上面図。
【図２】図１に記載の衛生用品を、図１の切断面II‐IIで切った断面図。
【図３】別の実施形態における吸収体の上面図。折り返し部の土台線の配置を付記。
【図４】さらに別の実施形態における吸収体の上面図。折り返し部の土台線の配置を付記。
【図５】図３に記載の吸収体の縦断面図。
【図１】
0004512091.tif 000002
【図２】
0004512091.tif 000003
【図３】
0004512091.tif 000004
【図４】
0004512091.tif 000005
【図５】
0004512091.tif 000006